(57)【要約】【課題】金型コストを低減できる遠心ファンを提供する。【解決手段】ケーシング３が、ケーシング本体３１とカバー３２とによって構成される。ケーシング本体３１とカバー３２の固定には、本体側第１係合部３３、カバー側第１係合部３４、カバー側第２係合部３５、及び本体側第２係合部３６が用いられる。本体側第１係合部３３とカバー側第２係合部３５とが係合し、カバー側第１係合部３４と本体側第２係合部３５とが係合する。本体側第１係合部３３、カバー側第１係合部３４、カバー側第２係合部３５、及び本体側第２係合部３６の係合面３３ａ〜３６ａがケーシング本体３１又はカバー３２を中心軸５方向から見たときに視認可能となっている。【選択図】図２
2009264213.tif 000002
【特許請求の範囲】
【請求項１】
遠心ファンであって、
中心軸を中心に回転することによって、該中心軸方向に吸気し、前記径方向外方に向けて排気するインペラと、
前記インペラを回転させるモータ部と、
前記モータ部を支持するとともに、少なくとも前記中心軸方向上側に吸気口が形成され、前記径方向に向けて排気口が形成され、前記インペラによって発生される空気流の流路を形成するケーシングと、
を備え、
前記ケーシングは、
前記モータ部を支持するベース部と、前記ベース部の前記径方向外方の縁部から前記中心軸方向上側に延設され、前記インペラの前記中心軸方向下側の部分を前記径方向外方から外囲するとともに、前記排気口の前記中心軸方向下側の部分が形成される第１の側壁部とを有するケーシング本体と、
前記インペラを挟んで前記ベース部と前記中心軸方向に対向するように配置されるプレート部と、前記プレート部の前記径方向外方の縁部から前記中心軸方向下側に延設され、前記インペラの前記中心軸方向上側の部分を前記径方向外方から外囲するとともに、前記排気口の前記中心軸方向上側の部分が形成される第２の側壁部とを有するカバーと、
前記第１の側壁部の前記径方向外方に向いた外面、及び前記第２の側壁部の前記径方向外方に向いた外面のいずれか一方又は両方に設けられ、前記径方向外方に突出する少なくとも１つの第１係合部と、
前記第１の側壁部及び前記第２の側壁部のいずれか他方又は両方に設けられ、前記第１係合部に係合することにより、前記カバーと前記ケーシング本体とを固定する少なくとも１つの第２係合部と、
を備え、
前記第１係合部における前記第２係合部と係合される前記中心軸方向上側又は下側を向いた係合面が、該第１係合部が設けられる前記ケーシング本体又は前記カバーを前記中心軸方向から見たときに視認可能であり、
前記第２係合部における前記第１係合部と係合される前記中心軸方向上側又は下側を向いた係合面が、該第２係合部が設けられる前記ケーシング本体又は前記カバーを前記中心軸方向から見たときに視認可能であることを特徴とする遠心ファン。
【請求項２】
請求項１に記載の遠心ファンにおいて、
前記少なくとも１つの第１係合部は、
前記第１の側壁部の前記外面に設けられ、前記径方向外方に突出する少なくとも１つの本体側第１係合部と、
前記第２の側壁部の前記外面に設けられ、前記径方向外方に突出する少なくとも１つのカバー側第１係合部とを有し、
前記少なくとも１つの第２係合部は、
前記第２の側壁部に設けられ、前記本体側第１係合部に係合する少なくとも１つのカバー側第２係合部と、
前記第１の側壁部に設けられ、前記カバー側第１係合部に係合する少なくとも１つの本体側第２係合部とを有することを特徴とする遠心ファン。
【請求項３】
請求項２に記載の遠心ファンにおいて、
互いに係合する前記本体側第１係合部及び前記カバー側第２係合部からなる第１のセットと、互いに係合する前記カバー側第１係合部及び前記本体側第２係合部からなる第２のセットとが、前記第１の側壁部の前記中心軸方向上側端部及び前記第２の側壁部の前記中心軸方向下側端部の周方向に対して交互に配置されていることを特徴とする遠心ファン。
【請求項４】
請求項１ないし請求項３のいずれかに記載の遠心ファンにおいて、
前記第１係合部の前記係合面は、前記第１の側壁部の前記外面における前記中心軸方向上側端部よりも前記中心軸方向下側、又は、前記２の側壁部の前記外面における前記中心軸方向下側端部よりも前記中心軸方向上側に位置し、
前記第１係合部の前記係合面の前記中心軸方向上側に位置する前記第１の側壁部又は前記第１係合部の部分、又は、前記第１係合部の前記係合面の前記中心軸方向下側に位置する前記第２の側壁部又は前記第１係合部の部分と、前記第２係合部の前記係合面の前記中心軸方向上側に位置する前記第２の側壁部又は前記第２係合部の部分、又は、前記第２係合部の前記係合面の前記中心軸方向下側に位置する前記第１の側壁部又は前記第２係合部の部分とは、前記第１係合部と前記第２係合部とが係合したときに、前記径方向に対して重なり合うことを特徴とする遠心ファン。
【請求項５】
請求項１ないし請求項４のいずれかに記載の遠心ファンにおいて、
前記第２係合部は、
前記第１の側壁部の前記中心軸方向上側端部、及び前記第２の側壁部の前記中心軸方向下側端部のいずれか他方又は両方から前記中心軸方向に延設された２つの脚部と、
前記２つの脚部の先端部間に橋渡しされるように設けられ、前記第１係合部に係合する梁部とを有し、
前記第２係合部の前記脚部同士における第１の側壁部の前記中心軸方向上側端部及び前記第２の側壁部の前記中心軸方向下側端部の周方向に対向する面間の幅である内寸は、前記第１係合部における前記周方向に沿った幅よりも大きく、
前記第１係合部と前記第２係合部の前記梁部とが係合したときに、前記第１係合部が前記第２係合部の前記脚部の間に前記径方向内方から嵌まり込むことを特徴とする遠心ファン。
【請求項６】
請求項５に記載の遠心ファンにおいて、
前記第１係合部が設けられる前記第１の側壁部又は前記第２の側壁部の前記外面における前記第１係合部の略周辺に、前記周方向に沿った幅が前記第２係合部の前記脚部間の前記周方向に相反する面間の幅である外寸よりも大きい第１の溝が前記中心軸方向に沿って設けられ、
前記第１係合部と前記第２係合部の前記梁部とが係合したときに、前記第２係合部の前記脚部及び前記梁部が前記第１の溝に嵌まり込むことを特徴とする遠心ファン。
【請求項７】
請求項５又は請求項６に記載の遠心ファンにおいて、
前記脚部及び前記梁部の前記径方向外方に向いた外面と、前記第１の側壁部の前記外面及び前記第２の側壁部の前記外面とが前記径方向に対して略同一面となることを特徴とする遠心ファン。
【請求項８】
請求項７に記載の遠心ファンにおいて、
前記第１係合部の最も前記径方向外方側に位置する外端が、前記第１の溝内に収容され、前記第１の側壁部の前記外面及び前記第２の側壁部の前記外面と前記径方向に対して略同一面となるように、又は前記第１の側壁部の前記外面及び前記第２の側壁部の前記外面よりも前記径方向内方に位置するように設けられていることを特徴とする遠心ファン。
【請求項９】
請求項５ないし請求項８のいずれかに記載の遠心ファンにおいて、
前記第２係合部が設けられる前記第１の側壁部又は前記第２の側壁部の前記外面には、前記梁部の前記中心軸方向下側又は上側に位置する部分に、前記周方向の幅が前記脚部間の前記内寸と等しい第２の溝が前記中心軸方向に沿って設けられることを特徴とする遠心ファン。
【請求項１０】
請求項１ないし請求項９のいずれかに記載の遠心ファンにおいて、
前記第１の側壁部又は前記第２の側壁部のいずれか一方に設けられ、前記第１の側壁部又は前記第２の側壁部から前記径方向外方又は内方に張り出す少なくも１つの凸部と、
前記第１の側壁部又は前記第２の側壁部のいずれか他方に設けられ、前記第１係合部と前記第２係合部とが係合したときに、前記凸部が嵌まり込む少なくとも１つの凹部とをさらに備えることを特徴とする遠心ファン。
【請求項１１】
請求項１ないし請求項１０のいずれかに記載の遠心ファンにおいて、
前記第１の側壁部の前記中心軸方向上側端部と、前記第２の側壁部の前記中心軸方向下側端部とは、前記中心軸方向上側端部及び前記中心軸方向下側端部の周方向に沿った実質的に全域に渡って、前記径方向に対して重なり合っていることを特徴とする遠心ファン。
【発明の詳細な説明】
【技術分野】
【０００１】
本発明は、遠心ファンに関する。
【背景技術】
【０００２】
小型の送風ファンは大きく分けて２種類存在する。一つは軸流ファンで、もう一つを遠心ファンである。用途の使い分け方としては、低静圧領域において軸流ファンが採用され、高静圧領域において遠心ファンが採用される傾向がある。
【０００３】
電子機器冷却用の遠心ファンの多くは、ケーシング本体、カバー、及びインペラが樹脂で形成されている。さらに、その多くは、低コストで量産が可能な射出成形によって成形されている。しかし、射出成形に用いられる金型は、高価であるとともに、複雑化により金型の製造コストが嵩み易い傾向がある。このため、如何に金型コスト等の低減を図るかが課題となっている。
【０００４】
また、落下等の外部からの衝撃によってケーシング本体とカバーとの係合が解除され、ケーシング本体からカバーが外れる場合がある。
【０００５】
また、主に電子機器の冷却用に用いられる遠心ファンにおいては、ケーシング本体とカバーとで遠心ファン内部の空気流路を形成している。上述の通り、遠心ファンは高静圧領域において用いられるため、ケーシング本体及びカバーの当接部から空気漏れが発生することが懸念される。
【０００６】
なお、遠心ファンに関する先行技術文献としては、特許文献１がある。
【特許文献１】米国特許出願公開２００６−２８６９２５号公報
【発明の開示】
【発明が解決しようとする課題】
【０００７】
そこで、本発明の解決すべき第１の課題は、金型コストを低減できる遠心ファンを提供することである。
【０００８】
また、本発明の解決すべき第２の課題は、外部からの衝撃によりケーシング本体からカバーが外れるのを防止できる遠心ファンを提供することである。
【０００９】
また、本発明の解決すべき第３の課題は、ケーシング本体とカバーとの当接部からの空気漏れを抑制できる遠心ファンを提供することである。
【課題を解決するための手段】
【００１０】
上記の課題を解決するため、請求項１の発明では、遠心ファンであって、中心軸を中心に回転することによって、該中心軸方向に吸気し、前記径方向外方に向けて排気するインペラと、前記インペラを回転させるモータ部と、前記モータ部を支持するとともに、少なくとも前記中心軸方向上側に吸気口が形成され、前記径方向に向けて排気口が形成され、前記インペラによって発生される空気流の流路を形成するケーシングとを備え、前記ケーシングは、前記モータ部を支持するベース部と、前記ベース部の前記径方向外方の縁部から前記中心軸方向上側に延設され、前記インペラの前記中心軸方向下側の部分を前記径方向外方から外囲するとともに、前記排気口の前記中心軸方向下側の部分が形成される第１の側壁部とを有するケーシング本体と、前記インペラを挟んで前記ベース部と前記中心軸方向に対向するように配置されるプレート部と、前記プレート部の前記径方向外方の縁部から前記中心軸方向下側に延設され、前記インペラの前記中心軸方向上側の部分を前記径方向外方から外囲するとともに、前記排気口の前記中心軸方向上側の部分が形成される第２の側壁部とを有するカバーと、前記第１の側壁部の前記径方向外方に向いた外面、及び前記第２の側壁部の前記径方向外方に向いた外面のいずれか一方又は両方に設けられ、前記径方向外方に突出する少なくとも１つの第１係合部と、前記第１の側壁部及び前記第２の側壁部のいずれか他方又は両方に設けられ、前記第１係合部に係合することにより、前記カバーと前記ケーシング本体とを固定する少なくとも１つの第２係合部とを備え、前記第１係合部における前記第２係合部と係合される前記中心軸方向上側又は下側を向いた係合面が、該第１係合部が設けられる前記ケーシング本体又は前記カバーを前記中心軸方向から見たときに視認可能であり、前記第２係合部における前記第１係合部と係合される前記中心軸方向上側又は下側を向いた係合面が、該第２係合部が設けられる前記ケーシング本体又は前記カバーを前記中心軸方向から見たときに視認可能である。
【００１１】
また、請求項２の発明では、請求項１の発明に係る遠心ファンにおいて、前記少なくとも１つの第１係合部は、前記第１の側壁部の前記外面に設けられ、前記径方向外方に突出する少なくとも１つの本体側第１係合部と、前記第２の側壁部の前記外面に設けられ、前記径方向外方に突出する少なくとも１つのカバー側第１係合部とを有し、前記少なくとも１つの第２係合部は、前記第２の側壁部に設けられ、前記本体側第１係合部に係合する少なくとも１つのカバー側第２係合部と、前記第１の側壁部に設けられ、前記カバー側第１係合部に係合する少なくとも１つの本体側第２係合部とを有する。
【００１２】
また、請求項３の発明では、請求項２の発明に係る遠心ファンにおいて、互いに係合する前記本体側第１係合部及び前記カバー側第２係合部からなる第１のセットと、互いに係合する前記カバー側第１係合部及び前記本体側第２係合部からなる第２のセットとが、前記第１の側壁部の前記中心軸方向上側端部及び前記第２の側壁部の前記中心軸方向下側端部の周方向に対して交互に配置されている。
【００１３】
また、請求項４の発明では、請求項１ないし請求項３のいずれかの発明に係る遠心ファンにおいて、前記第１係合部の前記係合面は、前記第１の側壁部の前記外面における前記中心軸方向上側端部よりも前記中心軸方向下側、又は、前記２の側壁部の前記外面における前記中心軸方向下側端部よりも前記中心軸方向上側に位置し、前記第１係合部の前記係合面の前記中心軸方向上側に位置する前記第１の側壁部又は前記第１係合部の部分、又は、前記第１係合部の前記係合面の前記中心軸方向下側に位置する前記第２の側壁部又は前記第１係合部の部分と、前記第２係合部の前記係合面の前記中心軸方向上側に位置する前記第２の側壁部又は前記第２係合部の部分、又は、前記第２係合部の前記係合面の前記中心軸方向下側に位置する前記第１の側壁部又は前記第２係合部の部分とは、前記第１係合部と前記第２係合部とが係合したときに、前記径方向に対して重なり合う。
【００１４】
また、請求項５の発明では、請求項１ないし請求項４のいずれかの発明に係る遠心ファンにおいて、前記第２係合部は、前記第１の側壁部の前記中心軸方向上側端部、及び前記第２の側壁部の前記中心軸方向下側端部のいずれか他方又は両方から前記中心軸方向に延設された２つの脚部と、前記２つの脚部の先端部間に橋渡しされるように設けられ、前記第１係合部に係合する梁部とを有し、前記第２係合部の前記脚部同士における第１の側壁部の前記中心軸方向上側端部及び前記第２の側壁部の前記中心軸方向下側端部の周方向に対向する面間の幅である内寸は、前記第１係合部における前記周方向に沿った幅よりも大きく、前記第１係合部と前記第２係合部の前記梁部とが係合したときに、前記第１係合部が前記第２係合部の前記脚部の間に前記径方向内方から嵌まり込む。
【００１５】
また、請求項６の発明では、請求項５の発明に係る遠心ファンにおいて、前記第１係合部が設けられる前記第１の側壁部又は前記第２の側壁部の前記外面における前記第１係合部の略周辺に、前記周方向に沿った幅が前記第２係合部の前記脚部間の前記周方向に相反する面間の幅である外寸よりも大きい第１の溝が前記中心軸方向に沿って設けられ、前記第１係合部と前記第２係合部の前記梁部とが係合したときに、前記第２係合部の前記脚部及び前記梁部が前記第１の溝に嵌まり込む。
【００１６】
また、請求項７の発明では、請求項５又は請求項６の発明に係る遠心ファンにおいて、前記脚部及び前記梁部の前記径方向外方に向いた外面と、前記第１の側壁部の前記外面及び前記第２の側壁部の前記外面とが前記径方向に対して略同一面となる。
【００１７】
また、請求項８の発明では、請求項７の発明に係る遠心ファンにおいて、前記第１係合部の最も前記径方向外方側に位置する外端が、前記第１の溝内に収容され、前記第１の側壁部の前記外面及び前記第２の側壁部の前記外面と前記径方向に対して略同一面となるように、又は前記第１の側壁部の前記外面及び前記第２の側壁部の前記外面よりも前記径方向内方に位置するように設けられている。
【００１８】
また、請求項９の発明では、請求項５ないし請求項８のいずれかの発明に係る遠心ファンにおいて、前記第２係合部が設けられる前記第１の側壁部又は前記第２の側壁部の前記外面には、前記梁部の前記中心軸方向下側又は上側に位置する部分に、前記周方向の幅が前記脚部間の前記内寸と等しい第２の溝が前記中心軸方向に沿って設けられる。
【００１９】
また、請求項１０の発明では、請求項１ないし請求項９のいずれかの発明に係る遠心ファンにおいて、前記第１の側壁部又は前記第２の側壁部のいずれか一方に設けられ、前記第１の側壁部又は前記第２の側壁部から前記径方向外方又は内方に張り出す少なくも１つの凸部と、前記第１の側壁部又は前記第２の側壁部のいずれか他方に設けられ、前記第１係合部と前記第２係合部とが係合したときに、前記凸部が嵌まり込む少なくとも１つの凹部とをさらに備える。
【００２０】
また、請求項１１の発明では、請求項１ないし請求項１０のいずれかの発明に係る遠心ファンにおいて、前記第１の側壁部の前記中心軸方向上側端部と、前記第２の側壁部の前記中心軸方向下側端部とは、前記中心軸方向上側端部及び前記中心軸方向下側端部の周方向に沿った実質的に全域に渡って、前記径方向に対して重なり合っている。
【発明の効果】
【００２１】
請求項１ないし請求項１１に記載の発明によれば、以下に述べるように、遠心ファンの金型コストを低減できる。
【００２２】
射出成形では、主に上金型（上側の入れ子）と下金型（下側の入れ子）の２種類を当接させ、当接された上金型と下金型の間に形成された閉空間内に溶融樹脂が射出され、溶融樹脂が冷却されることにより、閉空間の形状と略同一形状の射出成形品が成形される。金型の製造コストの低減には、上金型と下金型のみで金型を設計することが有効である。しかし、上金型及び下金型を離型する方向から射出成型品を見たときに、死角となる部分が存在する場合には、上金型と下金型のみではその射出成型品を形成することはできない。この場合には、上金型と下金型以外に、離型方向と異なる方向にスライドするスライドコアと呼ばれる金型部材（入れ子）を設ける必要があるため、金型コストが増大する。なお、スライドコアを用いた成形方法は一般的にアンダーカット処理と言われる。
【００２３】
特に、２つの射出成型品を係合させて固定する場合、その係合部（特に、係合面）に死角となる部分が生じやすく、アンダーカット処理が必要となる場合がある。
【００２４】
この点に関し、本発明では、ケーシング本体の第１の側壁部の径方向外方に向いた外面、及び、カバーの第２の側壁部の径方向外方を向いた外面のいずれか一方又は両方に、径方向外方に突出する少なくとも１つの第１係合部が設けられる。また、第１の側壁部及び第２の側壁部のいずれか他方又は両方に、第１係合部に係合することにより、カバーとケーシング本体とを固定する少なくとも１つの第２係合部が設けられる。そして、第１係合部における第２係合部と係合される中心軸方向上側又は下側を向いた係合面が、該第１係合部が設けられるケーシング本体又はカバーを中心軸方向から見たときに視認可能となっている。また、第２係合部における第１係合部と係合される中心軸方向上側又は下側を向いた係合面が、該第２係合部が設けられるケーシング本体又はカバーを中心軸方向から見たときに視認可能となっている。
【００２５】
それ故、上記のような第１係合部及び第２係合が設けられたケーシング本体及びカバーであれば、第１係合部及び第２係合部によって金型が複雑化することがなく、中心軸方向に離型する上金型及び下金型のみを用いた簡単な金型により成形でき、金型コストを低減できる。
【００２６】
請求項２に記載の発明によれば、ケーシング本体の第１の側壁部の径方向外方を向いた外面に少なくとも１つの本体側第１係合部が設けられるとともに、カバーの第２の側壁部の径方向外方を向いた外面に少なくとも１つのカバー側第１係合部が設けられ、これに対応して第１及び第２の側壁部に少なくとも１つの本体側第２係合部及びカバー側第２係合部が設けられる。それ故、仮に本体側第１係合部とカバー側第２係合部との係合を解除させるような第１の側壁部を径方向内方に押しやる外力が作用した場合、第１の側壁部に設けられた本体側第２係合部がカバー側第１係合部にますます押し付けられることとなる。反対に、カバー側第１係合部と本体側第２係合部との係合を解除するような第２の側壁部を径方向内方に押しやる外力が作用した場合、第２の側壁部に設けられたカバー側第２係合部が本体側第１係合部にますます押し付けられることとなる。このため、落下等の衝撃により外力がケーシング本体及びカバーに作用しても、ケーシング本体とカバーとの係合が解除されてカバーが外れるのを防止できる。
【００２７】
請求項３に記載の発明によれば、互いに係合する本体側第１係合部及びカバー側第２係合部からなる第１のセットと、互いに係合するカバー側第１係合部及び本体側第２係合部からなる第２のセットとが、第１の側壁部の中心軸方向上側端部及び第２の側壁部の中心軸方向下側端部の周方向に対して交互に配置されている。それ故、本体側第１係合部及びカバー側第２係合部と、カバー側第１係合部及び本体側第２係合部とが互いに係合状態を維持し合うようにさらに効果的に作用する。このため、落下等の衝撃によりケーシング本体とカバーとの係合が解除されてカバーが外れるのをより確実に防止できる。
【００２８】
請求項４に記載の発明によれば、第１係合部の係合面の中心軸方向上側に位置する第１の側壁部又は第１係合部の部分、又は、第１係合部の係合面の中心軸方向下側に位置する第２の側壁部又は第１係合部の部分と、第２係合部の係合面の中心軸方向上側に位置する第２の側壁部又は第２係合部の部分、又は、第２係合部の係合面の中心軸方向下側に位置する第１の側壁部又は第２係合部の部分とが、第１係合部と第２係合部とが係合したときに、径方向に対して重なり合う。このため、ケーシング本体の第１の側壁部及びカバーの第２の側壁部における第１係合部と第２係合部とが係合する部分において、ケーシング内の空気がケーシング外に漏れるのを効果的に抑制できる。
【００２９】
請求項５に記載の発明によれば、第１係合部と第２係合部の梁部とが係合したときに、第１係合部が第２係合部の脚部の間に径方向内方から嵌まり込むため、ケーシング本体及びカバーの第１係合部及び第２係合部が設けられた部分の径方向に対する厚みを抑制でき、遠心ファンの小型化が図れる。
【００３０】
請求項６に記載の発明によれば、第１係合部と第２係合部の梁部とが係合したときに、第２係合部の脚部及び梁部が第１の側壁部又は第２の側壁部の外面に設けられた第１の溝に嵌まり込む。それ故、第２係合部が第１の側壁部の外面及び第２の側壁部の外面から径方向外方に張り出さないようにする、あるいは張り出し量を抑制できる。その結果、第２係合部の第１の側壁部の外面及び第２の側壁部の外面から径方向外方に張り出した部分が、遠心ファンの設置の際に邪魔になる等の不都合を回避できる。
【００３１】
また、第１の溝を第１の側壁部又は第２の側壁部の外面における第１係合部の略周辺に設けることにより、第１係合部の第１の側壁部又は第２の側壁部の外面から径方向外方に張り出さないように、あるいは張り出し量を抑制しつつ、第１係合部を形成できる。その結果、第１係合部の第１の側壁部の外面又は第２の側壁部の外面から径方向外方に張り出した部分が、遠心ファンの設置の際に邪魔になる等の不都合を回避できる。
【００３２】
請求項７に記載の発明によれば、第２係合部の脚部及び梁部の径方向外方に向いた外面と、第１の側壁部の外面及び第２の側壁部の外面とが径方向に対して略同一面となっているため、第２係合部が第１の側壁部の外面及び第２の側壁部の外面から径方向外方に張り出して遠心ファンの設置の際に邪魔になる等の不都合が生じることがない。
【００３３】
請求項８に記載の発明によれば、第１係合部の最も径方向外方側に位置する外端が、第１の溝内に収容され、第１の側壁部の前記外面及び第２の側壁部の外面と径方向に対して略同一面となるように、又は第１の側壁部の外面及び第２の側壁部の外面よりも径方向内方に位置するように設けられている。それ故、第１係合部が第１の側壁部の外面又は第２の側壁部の外面から径方向外方に張り出して遠心ファンの設置の際に邪魔になる等の不都合が生じることがない。
【００３４】
請求項９に記載の発明によれば、第２係合部が設けられる第１の側壁部又は第２の側壁部の外面には、梁部の中心軸方向下側又は上側に位置する部分に、周方向の幅が脚部間の内寸と等しい第２の溝が中心軸方向に沿って設けられる。それ故、第２係合部の脚部及び梁部を、第２係合部が設けられる第１の側壁部又は第２の側壁部の外面から径方向外方に張り出させなくとも、第２係合部の梁部の中心軸方向下側又は上側の面の全体が、第２係合部が設けられるケーシング本体又はカバーを中心軸方向から見たときに視認可能となる。その結果、第２係合部が第１の側壁部又は第２の側壁部の外面から径方向外方に張り出さない構成を採用しながら、第２係合部が設けられるケーシング本体又はカバーを中心軸方向に離型する上金型及び下金型のみを用いた簡単な金型により成形できる。
【００３５】
請求項１０に記載の発明によれば、第１の側壁部又は第２の側壁部のいずれか一方に、第１の側壁部又は第２の側壁部から径方向外方又は内方に張り出す少なくとも１つの凸部が設けられ、第１の側壁部又は第２の側壁部のいずれか他方に少なくとも１つの凹部が設けられる。そして、第１係合部と第２係合部とが係合したときに凸部が凹部に嵌まり込む。それ故、第１係合部と第２係合部とが係合されてケーシング本体とカバーとが固定されたときに、凸部が凹部に嵌まり込むことにより、ケーシング本体とカバーとが周方向に互いにずれるようして回転するのを効果的に阻止することができる。その結果、ケーシング本体とカバーとが周方向に互いにずれるようして回転することにより第１係合部と第２係合部との係合が解除され、カバーがケーシング本体から外れるのを防止できる。
【００３６】
請求項１１に記載の発明によれば、第１の側壁部の中心軸方向上側端部と、第２の側壁部の中心軸方向下側端部とは、中心軸方向上側端部及び中心軸方向下側端部の周方向に沿った実質的に全域に渡って、径方向に対して重なり合っている。それ故、ケーシング本体の第１の側壁部の中心軸方向上側端部と、カバーの第２の側壁部の中心軸方向下側端部との当接部分の周方向の実質的に全域において、ケーシング内の空気がケーシング外に漏れるのを効果的に抑制できる。
【発明を実施するための最良の形態】
【００３７】
図１は本発明の一実施形態に係る遠心ファン１０の断面図であり、図２は遠心ファン１０のケーシング３の分解斜視図であり、図３はケーシング３が組み立てられた状態を示す斜視図であり、図４（ａ）はカバー３２の凹部３８が設けられた部分を中心軸５方向下側から見た斜視図であり、図４（ｂ）はケーシング本体３１の凸部３７が設けられた部分を中心軸５方向上側から見た斜視図である。なお、図２、図３は便宜上、インペラ１及びモータ部２等を省略し、ケーシング３のみを示している。また本明細書において、「中心軸５」とはインペラ１の回転軸の中心を示し、「径方向」とは中心軸５を中心とした円の径方向を示している。
【００３８】
この遠心ファン１０は、図１に示すように、インペラ１、モータ部２、及びケーシング３を備えている。
【００３９】
インペラ１は、中心軸５を中心に回転することによって、中心軸５方向に吸気し、径方向外方に向けて排気する。インペラ１は、モータ部２を収容するカップ部１１と、カップ部１１に対して径方向外方に間隔をあけて設けられた複数の動翼１２と、カップ部１１から径方向外方に延設され複数の動翼１２を支持する支持部１３とを備えている。そして、動翼１２が中心軸５を中心に回転されることで、後述するケーシング３の吸気口６から中心軸５方向に吸気された空気が径方向外方に排気される。動翼１２によって径方向外方に排気された空気は、ケーシング３の後述する排気口７を介して送り出される。
【００４０】
モータ部２は、インペラ１のカップ部１１の内周面に取り付けられたロータマグネット２１と、そのロータマグネット２１との間でトルクを発生させる電機子２２とを備えて構成されており、インペラ１を回転させる。このようなモータ部２は、インペラ１のカップ部１１内に収容されている。
【００４１】
ケーシング３は、モータ部２を支持するとともに、中心軸５方向上側に吸気口６が形成され、径方向外方に向けて排気口７が形成され、インペラ１によって発生される空気流の流路（以下、「空気流路」という）を形成する。このようなケーシング３は、ケーシング本体３１、カバー３２、少なくとも１つの本体側第１係合部３３、少なくとも１つのカバー側第１係合部３４、少なくとも１つのカバー側第２係合部３５、少なくとも１つの本体側第２係合部３６、少なくとも１つの凸部３７、及び少なくとも１つの凹部３８を備えている。
【００４２】
ケーシング本体３１及びカバー３２は、射出成形により連続した樹脂部材としてそれぞれ成形されている。そして、本体側第１係合部３３、本体側第２係合部３６及び凸部３７は、ケーシング本体３１を形成する樹脂部材によって形成され、カバー側第１係合部３４、カバー側第２係合部３５及び凹部３８は、カバー３２を形成する樹脂部材によって形成されている。
【００４３】
ケーシング本体３１は、ベース部３１１と、第１の側壁部３１２とを有する。ベース部３１１は、モータ部２及びインペラ１の中心軸５方向下側に位置し、モータ部２を支持する。第１の側壁部３１２は、ベース部３１１の径方向外方の縁部から中心軸５方向上側に延設され、インペラ１の中心軸５方向下側の部分を径方向外方から外囲するとともに、排気口７の中心軸５方向下側の部分が形成される。
【００４４】
カバー３２は、プレート部３２１と、第２の側壁部３２２とを有する。プレート部３２１は、インペラ１を挟んでベース部３１１と中心軸５方向に対向するように配置される。第２の側壁部３２２は、プレート部３２１の径方向外方の縁部から中心軸５方向下側に延設され、インペラ１の中心軸５方向上側の部分を径方向外方から外囲するとともに、排気口７の中心軸５方向上側の部分が形成される。
【００４５】
本体側第１係合部３３、カバー側第１係合部３４、カバー側第２係合部３５、及び本体側第２係合部３６は、ケーシング本体３１とカバー３２の固定に用いられる。図５に示すように、本体側第１係合部３３とカバー側第２係合部３５とが係合し、図６及び図７に示すように、カバー側第１係合部３４と本体側第２係合部３５とが係合する。本実施形態では、本体側第１係合部３３及びカバー側第２係合部３５のセットが複数（例えば、４つ）設けられ、カバー側第１係合部３４及び本体側第２係合部３５のセットが１つ設けられている。変形例として、各セットの数を変更してもよい。
【００４６】
本体側第１係合部３３は、ケーシング本体３１の第１の側壁部３１２の径方向外方に向いた外面３１２ａに略中心軸５を中心とした周方向に間隔をあけて設けられ、外面３１２ａから径方向外方に突出している。本体側第１係合部３３におけるカバー側第２係合部３５と係合される中心軸５方向下側を向いた係合面３３ａ（図２参照）の全体が、ケーシング本体３１を中心軸５方向下側から見たときに視認可能となっている。
【００４７】
カバー側第２係合部３５は、カバー３２の第２の側壁部３２２における本体側第１係合部３３と中心軸５方向に対向する位置に設けられる。カバー側第２係合部３５の中心軸５方向上側を向いた係合面３５ａが対応する本体側第１係合部３３の係合面３３ａと係合することにより、ケーシング本体３１とカバー３２とが固定される。そして、カバー側第２係合部３５の係合面３５ａの全体が、カバー３２を中心軸５方向上側から見たときに視認可能となっている。
【００４８】
カバー側第１係合部３４は、カバー３２の第２の側壁部３２２の径方向外方に向いた外面３２２ａにおける排気口７の周辺に設けられ、外面３２２ａから径方向外方に突出している。カバー側第１係合部３４における本体側第２係合部３６と係合される中心軸５方向上側を向いた係合面３４ａ（図７参照）の全体が、カバー３２を中心軸５方向上側から見たときに視認可能となっている。
【００４９】
本体側第２係合部３６は、ケーシング本体３１の第１の側壁部３１２におけるカバー側第１係合部３４と中心軸５方向に対向する位置に設けられる。本体側第２係合部３６の中心軸５方向下側を向いた係合面３６ａ（図７参照）が対応するカバー側第１係合部３４の係合面３４ａと係合することにより、ケーシング本体３１とカバー３２とが固定される。そして、本体側第２係合部３６の係合面３６ａの全体が、ケーシング本体３１を中心軸５方向下側から見たときに視認可能となっている。
【００５０】
射出成形では、主に上金型（上側の入れ子）と下金型（下側の入れ子）の２種類を当接させ、当接された上金型と下金型の間に形成された閉空間内に溶融樹脂が射出され、溶融樹脂が冷却されることにより、閉空間の形状と略同一形状の射出成形品が成形される。金型の製造コストの低減には、上金型と下金型のみで金型を設計することが有効である。しかし、上金型及び下金型を離型する方向から射出成型品を見たときに、死角となる部分が存在する場合には、上金型と下金型のみではその射出成型品を形成することはできない。この場合には、上金型と下金型以外に、離型方向と異なる方向にスライドするスライドコアと呼ばれる金型部材（入れ子）を設ける必要があるため、金型コストが増大する。なお、スライドコアを用いた成形方法は一般的にアンダーカット処理と言われる。
【００５１】
特に、２つの射出成型品を係合させて固定する場合、その係合部（特に、係合面）に死角となる部分が生じやすく、アンダーカット処理が必要となる場合がある。
【００５２】
この点に関し、本実施形態では、上記の如く、本体側第１係合部３３、カバー側第１係合部３４、カバー側第２係合部３５、及び本体側第２係合部３６の係合面３３ａ〜３６ａの全体がケーシング本体３１又はカバー３２を中心軸５方向から見たときに視認可能となっている。それ故、このような本体側第１係合部３３、カバー側第１係合部３４、カバー側第２係合部３５、及び本体側第２係合部３６が設けられたケーシング本体３１及びカバー３２であれば、本体側第１係合部３３、カバー側第１係合部３４、カバー側第２係合部３５、及び本体側第２係合部３６によって金型が複雑化することがなく、中心軸５方向に離型する上金型及び下金型のみを用いた簡単な金型により成形でき、金型コストを低減できる。
【００５３】
また、本実施形態では、上記の如く、ケーシング本体３１の第１の側壁部３１２の外面３１２ａに少なくとも１つ（本実施形態では、４つ）の本体側第１係合部３３が設けられるとともに、カバー３２の第２の側壁部３２２の外面３２２ａに少なくとも１つのカバー側第１係合部３４が設けられる。これに対応して、第２の側壁部３２２に少なくとも１つ（本実施形態では、４つ）のカバー側第２係合部３５が設けられるとともに、第１の側壁部３１２に少なくとも１つの本体側第２係合部３６が設けられる。
【００５４】
それ故、仮に本体側第１係合部３３とカバー側第２係合部３４との係合を解除させるような第１の側壁部３２２を径方向内方に押しやる外力が作用した場合、第１の側壁部３１２に設けられた本体側第２係合部３６がカバー側第１係合部３４にますます押し付けられることとなる。反対に、カバー側第１係合部３５と本体側第２係合部３６との係合を解除させるような第２の側壁部３１２を径方向内方に押しやる外力が作用した場合、第２の側壁部３２２に設けられたカバー側第２係合部３５が本体側第１係合部３３にますます押し付けられることとなる。このため、落下等の衝撃により外力がケーシング本体３１及びカバー３２に作用しても、ケーシング本体３１とカバー３２との係合が解除されてカバー３２が外れるのを防止できる。
【００５５】
なお、互いに係合する本体側第１係合部３３及びカバー側第２係合部３５からなる第１のセットと、互いに係合するカバー側第１係合部３４及び本体側第２係合部３６からなる第２のセットとの配置に関する変形例として、次の構成が採用できる。
【００５６】
すなわち、本体側第１係合部３３及びカバー側第２係合部３５からなる第１のセットと、カバー側第１係合部３４及び本体側第２係合部３６からなる第２のセットとを、第１の側壁部３１２の中心軸５方向上側端部及び第２の側壁部３２２の中心軸５方向下側端部の周方向に対して交互に配置されてもよい。これによって、本体側第１係合部３３及びカバー側第２係合部３５と、カバー側第１係合部３４及び本体側第２係合部３６とが互いに係合状態を維持し合うようにさらに効果的に作用する。このため、落下等の衝撃によりケーシング本体３１とカバー３２との係合が解除されてカバー３２が外れるのをより確実に防止できる。
【００５７】
また、本実施形態では、本体側第１係合部３３の係合面３３ａは、第１の側壁部３１２の外面３１２ａにおける中心軸５方向上側端部よりも中心軸５方向下側に位置している。カバー側第１係合部３４の係合面３４ａは、第２の側壁部３２２の外面３２２ａにおける中心軸５方向下側端部よりも中心軸５方向上側に位置している。
【００５８】
そして、本体側第１係合部３３の係合面３３ａの中心軸５方向上側に位置する第１の側壁部３１２（又は本体側第１係合部３３）の部分と、カバー側第２係合部３５の係合面３５ａの中心軸５方向上側に位置する第２の側壁部３２２（又はカバー側第２係合部３５）の部分とは、図７に示すように、本体側第１係合部３３とカバー側第２係合部３５とが係合したときに径方向に対して重なり合う。
【００５９】
また、カバー側第１係合部３４の係合面３４ａの中心軸５方向下側に位置する第２の側壁部３２２（又はカバー側第１係合部３４）の部分と、本体側第２係合部３６の係合面３６ａの中心軸５方向下側に位置する第１の側壁部３１２（又は本体側第２係合部３６）の部分とが、上記の図７に示す構成とほぼ同様に、カバー側第１係合部３６と本体側第２係合部３６とが係合したときに径方向に対して重なり合う。
【００６０】
これによって、第１及び第２の側壁部３１２，３２２における本体側第１係合部３３及びカバー側第１係合部３４とカバー側第２係合部３５及び本体側第２係合部３６とが係合する部分において、ケーシング３内の空気がケーシング３外に漏れるのを効果的に抑制できる。
【００６１】
より具体的には、第１の側壁部３１２における本体側第１係合部３３及び本体側第２係合部３６よりも中心軸５方向上側に位置する第２の側壁部３２２との当接部３１２ｂが段差形状になっている。これに対応して、第２の側壁部３１２におけるカバー側第２係合部３５及びカバー側第１係合部３４よりも中心軸５方向下側に位置する第１の側壁部３１２との当接部３２２ｂも段差形状になっている。そして、本体側第１係合部３３及びカバー側第１係合部３４とカバー側第２係合部３５及び本体側第２係合部３６とが係合したときに、第１の側壁部３１２の当接部３１２ｂの中心軸５方向上側に張り出した張り出し部３１２ｃと、第２の側壁部３２２の当接部３２２ｂの中心軸５方向下側に張り出した張り出し部３２２ｃとが、径方向に対して重なり合う。
【００６２】
この第１及び第２の側壁部３１２，３２２の張り出し部３１２ｃ，３２２ｃは、第１及び第２の側壁部３１２，３２２の中心軸５方向上側端部又は下側端部が延びる周方向に沿って、第１及び第２の側壁部３１２，３２２の周方向の実質的に全域に渡って設けられている。このため、本体側第１係合部３３及びカバー側第１係合部３４とカバー側第２係合部３５及び本体側第２係合部３６とが係合したときに、第１の側壁部３１２の中心軸５方向上側端部と、第２の側壁部３２２の中心軸５方向下側端部とが、第１及び第２の側壁部３１２，３２２の周方向の実質的に全域に渡って、径方向に対して重なり合う。
【００６３】
これによって、ケーシング本体３１の第１の側壁部３１２の中心軸５方向上側端部と、カバー３２の第２の側壁部３２２の中心軸５方向下側端部との当接部分の周方向の実質的に全域において、ケーシング３内の空気がケーシング３外に漏れるのを効果的に抑制できる。
【００６４】
また、本実施形態では、カバー側第２係合部３５は、図２及び図５に示すように、２つの脚部３５１，３５２と、梁部３５３とによって構成されている。脚部３５１，３５２は、第１の側壁部３１２の中心軸５方向上側端部から中心軸５方向上側に向けて延設されている。梁部３５３は、２つの脚部３５１，３５２の先端部（中心軸５方向上側端部）間に橋渡しされるように設けられ、カバー側第１係合部３３と係合する。この梁部３５３の中心軸５方向上側を向いた面が、本体側第１係合部３３の係合面３３ａと係合する係合面３５ａとなっている。
【００６５】
カバー側第２係合部３５の脚部３５１，３５２同士における第１及び第２の側壁部３１２，３２２の中心軸５方向上側端部が延設される周方向に対向する面間の幅である内寸Ｄ１は、本体側第１係合部３３における前記周方向に沿った幅Ｄ２よりも僅かに大きい。そして、本体側第１係合部３３とカバー側第２係合部３５の梁部３５３とが係合したときに、本体側第１係合部３３がカバー側第２係合部３５の脚部３５１，３５２の間に径方向内方から嵌まり込む。
【００６６】
本体側第２係合部３６も、図２及び図６に示すように、カバー側第２係合部３５とほぼ同様な構成を有している。すなわち、本体側第２係合部３６は、２つの脚部３６１，３６２と、梁部３６３とによって構成されている。脚部３６１，３６２は、第２の側壁部３２２の中心軸５方向下側端部から中心軸５方向下側に向けて延設されている。梁部３６３は、２つの脚部３６１，３６２の先端部（中心軸５方向下側端部）間に橋渡しされるように設けられ、カバー側第１係合部３４と係合する。この梁部３６３の中心軸５方向下側を向いた面が、カバー本体側第１係合部３４の係合面３４ａと係合する係合面３６ａとなっている。
【００６７】
本体側第２係合部３６の脚部３６１，３６２同士における第１及び第２の側壁部３１２，３２２の中心軸５方向上側端部が延設される周方向に対向する面間の幅である内寸Ｄ３は、カバー側第１係合部３４における前記周方向に沿った幅Ｄ４よりも僅かに大きい。そして、カバー側第１係合部３４と本体側第２係合部３６の梁部３６３とが係合したときに、カバー側第１係合部３４が本体側第２係合部３６の脚部３６１，３６２の間に径方向内方から嵌まり込む。
【００６８】
このように、本体側及びカバー側第１係合部３３，３４がカバー側及び本体側第２係合部３５，３６の脚部３５１，３５２間及び脚部３６１，３６２間に径方向内方から嵌まり込むため、ケーシング本体３１及びカバー３２の本体側及びカバー側第１係合部３３，３４及びカバー側及び本体側第２係合部３５，３６が設けられた部分の径方向に対する厚みを抑制でき、遠心ファン１０の小型化が図れる。
【００６９】
また、本実施形態では、図６等に示すように、カバー３２の第２の側壁部３２２の外面３２２ａにおける本体側第２係合部３６があてがわれる部分には、カバー側第１係合部３４の周囲を略取り囲むように、第１の溝としての溝４１が設けられている。この溝４１は、外面３２２ａからの深さが一定となるように中心軸５方向に沿って設けられている。また、溝４１の前記周方向に沿った幅Ｄ５は、本体側第２係合部３６の脚部３６１，３６２間の前記周方向に相反する面間の幅である外寸Ｄ６よりも僅かに大きい。そして、カバー側第１係合部３４と本体側第２係合部３６の梁部３６３とが係合したときに、本体側第２係合部３６の脚部３６１，３６２及び梁部３６３が溝４１に嵌まり込む。
【００７０】
また、図２及び図５等に示すように、ケーシング本体３１の第１の側壁部３１２の外面３１２ａにおけるカバー側第２係合部３５があてがわれる部分には、本体側第１係合部３３を前記周方向の両側から挟むようにして、第１の溝としての溝４２が設けられている。この溝４２は、中心軸５方向に沿って外面３１２ａからの深さが中心軸５方向下側に向けて徐々に浅くなるように中心軸５方向に沿って設けられている。これに対応して、この溝４２の底面にあてがわれる本体側第２係合部３５の脚部３５１，３５２及び梁部３５３の部分（当接面）もテーパ状に傾斜している。また、溝４２の前記周方向に沿った幅Ｄ７は、カバー側第２係合部３５の脚部３５１，３５２間の前記周方向に相反する面間の幅である外寸Ｄ８よりも僅かに大きい。そして、本体側第１係合部３３とカバー側第２係合部３５の梁部３５３とが係合したときに、カバー側第２係合部３５の脚部３５１，３５２及び梁部３５３が溝４２に嵌まり込む。
【００７１】
このように、本体側第２係合部３６の脚部３６１，３６２及び梁部３６３が溝４１に嵌まり込むとともに、カバー側第２係合部３５の脚部３５１，３５２及び梁部３５３が溝４２に嵌まり込むため、カバー側及び本体側第２係合部３５，３６が第１及び第２の側壁部３１２，３２２の外面３１２ａ，３２２ａから径方向外方に張り出さないようにする、あるいは張り出し量を抑制できる。その結果、カバー側及び本体側第２係合部３５，３６の第１及び第２の側壁部３１２，３２２の外面３１２ａ，３２２ａから径方向外方に張り出した部分が、遠心ファン１０の設置の際に邪魔になる等の不都合を回避できる。
【００７２】
また、上記のように、溝４１，４２を第１又は第２の側壁部３１２，３２２の外面３１２ａ，３２２ａにおける本体側及びカバー側第１係合部３３，３４の略周辺に設けることにより、本体側及びカバー側第１係合部３３，３４の第１又は第２の側壁部３１２，３２２の外面３１２ａ，３２２ａから径方向外方に張り出さないように、あるいは張り出し量を抑制しつつ、本体側及びカバー側第１係合部３３，３４を形成できる。その結果、本体側及びカバー側第１係合部３３，３４の第１又は第２の側壁部３１２，３２２の外面３１２ａ，３２２ａから径方向外方に張り出した部分が、遠心ファン１０の設置の際に邪魔になる等の不都合を回避できる。
【００７３】
また、本実施形態では、ケーシング本体３１の第１の側壁部３１２の排気口７の周辺に設けられる本体側第２係合部３６の脚部３６１，３６２及び梁部３６３の径方向外方に向いた外面と、第１及び第２の側壁部３１２，３２２の外面３１２ａ，３２２ａとが径方向に対して略同一面となっている。これによって、遠心ファン１０の排気口７の周辺における第１及び第２の側壁部３１２，３２２の外面３１２ａ，３２２ａを平坦にすることができる。遠心ファン１０の排気口７の周辺は省スペース化のために側面の構成を平坦にすることが要求される場合があるが、本実施形態に係る構成によれば、本体側第２係合部３６が第１及び第２の側壁部３１２，３２２の外面３１２ａ，３２２ａから径方向外方に張り出して遠心ファン１０の設置の際に邪魔になる等の不都合が生じることがない。
【００７４】
また、本実施形態では、カバー側第１係合部３４の最も径方向外方側に位置する外端が溝４１内に収容され、第１及び第２の側壁部３１２，３２２の外面３１２ａ，３２２ａと径方向に対して略同一面となるように、又は外面３１２ａ，３２２ａよりも径方向内方に位置するように設けられている。それ故、遠心ファン１０の排気口７の周辺において、カバー側第１係合部３４が第１及び第２の側壁部３１２，３２２の外面３１２ａ，３２２ａから径方向外方に張り出して遠心ファン１０の設置の際に邪魔になる等の不都合が生じることがない。
【００７５】
また、本実施形態では、ケーシング本体３１の第１の側壁部３１２の外面３１２ａには、本体側第２係合部３６の梁部３６３の中心軸５方向下側に位置する部分に、第２の溝としての溝４３が設けられている。この溝４３は、外面３１２ａからの深さが一定になるように中心軸５方向に沿って設けられている。また、溝４３の前記周方向の幅は、脚部３６１，３６２間の前記内寸Ｄ３と等しい。それ故、本体側第２係合部３６の脚部３６１，３６２及び梁部３６３を、第１の側壁部３１２の外面３１２ａから径方向外方に張り出させなくとも、本体側第２係合部３６の梁部３６３の中心軸５方向下側の面（係合面３６ａ）の全体が、ケーシング本体３１を中心軸５方向から見たときに視認可能となる。その結果、本体側第２係合部３６がケーシング本体３１の第１の側壁部３１２の外面３１２ａから径方向外方に張り出さない構成を採用しながら、ケーシング本体３１を中心軸５方向に離型する上金型及び下金型のみを用いた簡単な金型により成形できる。
【００７６】
また、本実施形態では、ケーシング本体３１の第１の側壁部３１２には、図２及び図４（ｂ）に示すように、第１の側壁部３１２から径方向外方に張り出すように少なくとも１つ（本実施形態では、２つ）の凸部３７が前記周方向に間隔をあけて設けられている。これに対応して、カバー３２の第２の側壁部３２２の凸部３７と中心軸５方向に対向する位置に、図４（ａ）に示すように、少なくとも１つ（本実施形態では、２つ）の凹部３８が設けられている。そして、本体側及びカバー側第１係合部３３，３４とカバー側及び本体側第２係合部３５，３６とが係合したときに、凸部３７が対応する凹部３８に嵌まり込む。なお、変形例として、ケーシング本体３１の第１の側壁部３１２に凹部３８を設け、カバー３２の第２の側壁部３２２に凸部３７を設けてもよい。また、他の変形例として、凸部３７を第１の側壁部３１２から径方向内方に張り出させてもよい。
【００７７】
このように、本体側及びカバー側第１係合部３３，３４とカバー側及び本体側第２係合部３５，３６とが係合されてケーシング本体３１とカバー３２とが固定されたときに、凸部３７が凹部３８に嵌まり込むことにより、ケーシング本体３１とカバー３２とが周方向に互いにずれるようして回転するのを効果的に阻止することができる。その結果、ケーシング本体３１とカバー３２とが周方向に互いにずれるようして回転することにより本体側及びカバー側第１係合部３３，３４とカバー側及び本体側第２係合部３５，３６との係合が解除され、カバー３２がケーシング本体３１から外れるのを防止できる。
【００７８】
また、本実施形態では、ケーシング本体３１及びカバー３２の第１及び第２の側壁部３１２，３２２の外面３１２ａ，３２２ａには、遠心ファン１０を他の部材に固定するための複数の固定部４６，４７が設けられている。固定部４６，４７には、固定用のボルト等が挿通される貫通孔４６ａ，４７ａが固定部４６，４７を中心軸５方向に貫通するように設けられている。このような固定部４６と固定部４７とは中心軸５方向に重なり合うように配置される。より具体的には、固定部４６及び固定部４７のセットが、２セットずつ周方向に間隔をあけて複数セット設けられている。
【図面の簡単な説明】
【００７９】
【図１】本発明の一実施形態に係る遠心ファンの断面図である。
【図２】図１の遠心ファンのケーシングの分解斜視図である。
【図３】図２のケーシングが組み立てられた状態を示す斜視図である。
【図４】図４（ａ）はカバーの凹部が設けられた部分を中心軸方向下側から見た斜視図であり、図４（ｂ）はケーシング本体の凸部が設けられた部分を中心軸方向上側から見た斜視図である。
【図５】本体側第１係合部とカバー側第２係合部とが係合した状態を示す斜視図である。
【図６】カバー側第１係合部と本体側第２係合部とが係合した状態を示す斜視図である。
【図７】カバー側第１係合部と本体側第２係合部とが係合した状態を示す断面図である。
【符号の説明】
【００８０】
１  インペラ、２  モータ部、３  ケーシング、４  取付部、５  中心軸、６  吸気口、７  排気口、１０  遠心ファン、１１  カップ部、１２  動翼、１３  支持部、２１  ロータマグネット、２２  電機子、３１  ケーシング本体、３２  カバー、３３  本体側第１係合部、３３ａ  係合面、３４  カバー側第１係合部、３４ａ  係合面、３５  カバー側第２係合部、３５ａ  係合面、３６  本体側第２係合部、３６ａ  係合面、３７  凸部、３８  凹部、４１〜４３  溝、４６，４７  固定部、３１１  ベース部、３１２  第１の側壁部、３１２ａ  外面、３２１  プレート部、３２２  第２の側壁部、３２２ａ  外面、３５１，３５２  脚部、３５３  梁部、３６１，３６２  脚部、３６３  梁部。
【図１】
2009264213.tif 000003
【図２】
2009264213.tif 000004
【図３】
2009264213.tif 000005
【図４】
2009264213.tif 000006
【図５】
2009264213.tif 000007
【図６】
2009264213.tif 000008
【図７】
2009264213.tif 000009